(57)【要約】【課題】治験用瓶の中身が薬液かプラセボ液かを視覚的に識別し難くするラベルを提供する。【解決手段】ラベル１２は、薬液又はプラセボ液を収容する治験用瓶１に貼付される。ラベル１２の貼付面１２ｂは、黄色に着色されている。ラベル１２は、治験用瓶１の胴部２１に貼付され、瓶の表面の周方向の所定長さＬと、瓶の高さの所定幅Ｄを有している。所定長さＬは、胴部２１の周囲の半分以上の長さに設定され、所定幅Ｄは、胴部２１の高さの半分以上の幅に設定されている。【選択図】図７
2017037307.tif 000002
【特許請求の範囲】
【請求項１】
薬液又はプラセボ液を収容する治験用瓶用のラベルであって、
ラベルの貼付面が有色に着色されており、
前記瓶の胴部の周囲の半分以上の長さと、前記胴部の高さの半分以上の幅を有する、ラベル。
【請求項２】
前記ラベルの胴部周方向の長さが、前記胴部の横断面における前記胴部の内周面の一の接線と前記胴部の外周面とが交わる２点を胴部表面の長周囲側の周方向に結ぶ長さと同等或いはそれ以上に設定され、
前記ラベルの胴部高さ方向の幅が、前記胴部の高さと同等に設定されている、請求項１に記載のラベル。
【請求項３】
前記薬液がタンパク液である、請求項１又は２に記載のラベル。
【請求項４】
前記貼付面が前記薬液と同色に着色されている、請求項１〜３のいずれかに記載のラベル。
【請求項５】
前記貼付面が黄色に着色されている、請求項１〜４のいずれかに記載のラベル。
【請求項６】
請求項１〜５のいずれかに記載のラベルが貼付された治験用瓶。
【請求項７】
薬液又はプラセボ液が収容された、請求項６に記載の治験用瓶。
【請求項８】
薬液又はプラセボ液を収容する治験用瓶にラベルを貼付する方法であって、
貼付面が有色に着色されたラベルを、前記瓶の胴部に貼付する工程を有し、
前記工程において、前記ラベルを、前記胴部の周囲の半分以上の範囲に貼付し、前記胴部の高さの半分以上の範囲に貼付する、ラベルの貼付方法。
【請求項９】
薬液又はプラセボ液を収容する治験用瓶に貼付面が有色のラベルを貼付し、外観上、前記治験用瓶の収容物が前記貼付面の色に見えるようにして、治験用瓶の収容物を視覚的に識別し難くする方法。
【請求項１０】
貼付面が有色であって、外観上、治験用瓶の収容物が前記貼付面の色に見えるようにして、治験用瓶の収容物を視覚的に識別し難くするための治験用瓶用のラベル。
【発明の詳細な説明】
【技術分野】
【０００１】
本発明は、ラベル、治験用瓶、ラベルを治験用瓶に貼付する方法及び治験用瓶の収容物を視覚的に識別し難くする方法に関する。
【背景技術】
【０００２】
例えば注射剤として用いられる医療用タンパク製剤について臨床試験（治験）を行う場合、薬液又はプラセボ液を収容した２種類の無色透明の治験用瓶が用意される。これらの治験用瓶には、一般的に薬液の種類や品番等が記載されたラベルが貼付されている（特許文献１参照）。そして、治験時には、治験用瓶に薬液かプラセボ液のどちらが収容されているか分からない状態で、被治験者に治験用瓶の内容物が投与される。これにより、薬液の治療効果等を厳格に確認及び評価することができる。
【先行技術文献】
【特許文献】
【０００３】
【特許文献１】特開平８−２３１４３７号公報
【発明の概要】
【発明が解決しようとする課題】
【０００４】
しかしながら、薬液は一般的に無色透明であるが、薬液の種類によって、或いは薬液の個体差等によってわずかに黄色味がかったり、白濁するようなことがある。このような場合、薬液と、無色透明のプラセボ液との間に視覚的な差異ができるため、被治験者や治験実行者が治験用瓶の中身が薬液かプラセボ液かを見分けることができる可能性がある。被治験者や治験実行者に中身を見分けられると、それが治験結果に影響して、十分な精度の治験を行うことができなくなる恐れがある。
【０００５】
本出願はかかる点に鑑みてなされたものであり、治験用瓶の中身が薬液かプラセボ液かを視覚的に識別し難くなるラベル、治験用瓶、ラベルの貼付方法及び治験用瓶の収容物を識別し難くする方法を提供することをその目的とする。
【課題を解決するための手段】
【０００６】
本発明者らは、治験用瓶に貼付するラベルの貼付面を有色とし、そのラベルを所定長さと所定幅に設定することによって、治験用瓶の中身が薬液かプラセボ液かを識別し難くなるという知見を利用し、本発明を完成させた。すなわち、本発明は、以下の［１］〜［１０］を提供する。
【０００７】
［１］薬液又はプラセボ液を収容する治験用瓶用のラベルであって、ラベルの貼付面が有色に着色されており、前記瓶の胴部の周囲の半分以上の長さと、前記胴部の高さの半分以上の幅を有する、ラベル。
［２］前記ラベルの胴部周方向の長さが、前記胴部の横断面における前記胴部の内周面の一の接線と前記胴部の外周面とが交わる２点を胴部表面の長周囲側の周方向に結ぶ長さと同等或いはそれ以上に設定され、前記ラベルの胴部高さ方向の幅が、前記胴部の高さと同等に設定されている、［１］に記載のラベル。
［３］前記薬液がタンパク液である、［１］又は［２］に記載のラベル。
［４］前記貼付面が前記薬液と同色に着色されている、［１］〜［３］のいずれかに記載のラベル。
［５］前記貼付面が黄色に着色されている、［１］〜［４］のいずれかに記載のラベル。
［６］［１］〜［５］のいずれかに記載のラベルが貼付された治験用瓶。
［７］薬液又はプラセボ液が収容された、［６］に記載の治験用瓶。
［８］薬液又はプラセボ液を収容する治験用瓶にラベルを貼付する方法であって、貼付面が有色に着色されたラベルを、前記瓶の胴部に貼付する工程を有し、前記工程において、前記ラベルを、前記胴部の周囲の半分以上の範囲に貼付し、前記胴部の高さの半分以上の範囲に貼付する、ラベルの貼付方法。
［９］薬液又はプラセボ液を収容する治験用瓶に貼付面が有色のラベルを貼付し、外観上、前記治験用瓶の収容物が前記貼付面の色に見えるようにして、治験用瓶の収容物を視覚的に識別し難くする方法。
［１０］貼付面が有色であって、外観上、治験用瓶の収容物が前記貼付面の色に見えるようにして、治験用瓶の収容物を視覚的に識別し難くするための治験用瓶用のラベル。
【発明の効果】
【０００８】
ラベルの貼付面を有色とし、ラベルを所定長さと所定幅に設定することによって、治験用瓶の中身が薬液かプラセボ液かを視覚的に識別し難くなり、この結果、十分な精度の治験を行うことができる。
【図面の簡単な説明】
【０００９】
【図１】治験用瓶の概略を示す正面斜視図である。
【図２】治験用瓶の概略を示す背面斜視図である。
【図３】瓶本体の構成を示す説明図である。
【図４】（ａ）は、ラベルの表面の一例を示す図であり、（ｂ）は、ラベルの裏面の一例を示す図である。
【図５】胴部の横断面の模式図である。
【図６】他のラベルの長さを説明するための胴部の横断面の模式図である。
【図７】治験用瓶の背面図である。
【図８】試験１の識別不能性試験結果を示すグラフである。
【図９】試験２の識別不能性試験結果を示すグラフである。
【発明を実施するための形態】
【００１０】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はその実施の形態のみに限定されるものではない。
【００１１】
図１は、本実施の形態における治験用瓶１の構成の概略を示す正面斜視図であり、図２は、背面斜視図である。
【００１２】
図１及び図２に示すように治験用瓶１は、薬液或いはプラセボ液（以下、これらを「液体Ａ」とも称する。）を選択的に収容する瓶本体１０と、その瓶本体１０の上部に取り付けられた蓋体１１を有し、瓶本体１０の表面には、ラベル１２が貼付されている。
【００１３】
本明細書において用いられる用語「薬液」とは、それ自体が液状のものだけでなく、固形の薬を溶解させたものや、タンパクのように乾燥粉末化させたものを用時溶解したものも含まれる。また、本明細書において用いられる用語「タンパク」には、アミノ酸だけで構成される単純タンパクだけでなく、糖やリン酸で修飾されたものも含まれる。
【００１４】
瓶本体１０は、図３に示すように有底の略円筒状に形成され、無色透明の材質、例えばガラスや樹脂により成型されている。瓶本体１０は、蓋体１１が取り付けられる上部の首部２０と、首部２０の下に位置し首部２０よりも径が大きい胴部２１を有している。
【００１５】
胴部２１は、径が略一定の円筒状に形成されている。胴部２１は、瓶本体１０の底面から、少なくとも液体Ａの液面よりも高い位置まで形成されている。本実施の形態において胴部２１は、瓶本体１０の底面から、径が次第に小さくなり始める位置まで形成されている。
【００１６】
首部２０は、下から上に向かって、胴部２１の上端から縮径し、その後一定区間径が一定になり、最後に径が大きくなり大径部（フランジ部）を形成する形状を有している。なお、瓶本体１０および蓋体１１は、例示であり上記の形態に限定されるものではない。
【００１７】
ラベル１２は、例えば二層構造であり、紙製又は樹脂製の表面層と、紙製又は樹脂製の裏面層を有している。ラベル１２の表面層の表面１２ａには、図４（ａ）に示すように白地に、内容物である薬液に関する情報や、治験用瓶１の管理方法、製造番号等の所定の必要情報が記載されている。ラベル１２の裏面層の裏面（貼付面）１２ｂは、図４（ｂ）に示すように無地の黄色に着色されている。なお、ここでいう「黄色」には、マンセル表色系のマンセル値で５ＹＲ〜５ＧＹのものが含まれる。ラベル１２は、印字された表面層シートと、黄色にベタ印刷された裏面層シートを接着させることにより製造される。
【００１８】
ラベル１２は、長辺方向に所定長さＬ、短辺方向に所定幅Ｄを有している。ラベル１２の所定長さＬは、図５に示すように胴部２１の周囲の半分以上の長さを有し、好ましくは胴部２１の周囲の２／３以上の長さを有している。またラベル１２の所定幅Ｄは、胴部２１の高さの半分以上の幅を有し、好ましく胴部２１の高さの２／３以上の幅を有している。
【００１９】
また、ラベル１２の所定長さＬは、図６に示すように胴部２１の横断面における胴部２１の内周面２１ａの一の接線Ｋと胴部２１の外周面２１ｂとが交わる２点Ｘ１、Ｘ２を瓶表面の長周囲側の周方向に結んだ長さＬ１と同等に設定されていてもよい。このときラベル１２の所定幅Ｄは、図３に示すように、胴部２１の高さＨと同等に設定されている。なお、ここでいう「同等」には、長さＬ１の±５ｍｍの範囲内、高さＨの±２ｍｍの範囲内のものが含まれる。ラベル１２の所定長さＬは、胴部２１の全周よりも短く、ラベル１２の両端の間には、隙間（ラベル１２がない部分）が形成されている。
【００２０】
次に、治験用瓶１にラベル１２を貼付する方法について説明する。ラベル１２を貼付する前には、治験用瓶１の瓶本体１０内に薬液或いはプラセボ液が収容され、瓶本体１０が蓋体１１により閉鎖される。次に、ラベル１２が、瓶本体１０の胴部２１に貼付される。ラベル１２は、胴部２１の表面の周囲方向に、胴部２１の横断面における胴部２１の内周面２１ａの一の接線Ｋと胴部２１の外周面２１ｂとが交わる２点Ｘ１、Ｘ２を結んだ長さＬ１と同等の範囲に貼付され、なおかつ、胴部２１の高さ方向に、胴部２１の高さＨと同等の範囲に貼付される。
【００２１】
治験の際には、治験実行者は、治験用瓶１から注射器などにより薬液或いはプラセボ液を抽出し、それを被治験者に投与する。被治験者は、治験用瓶１に薬液かプラセボ液のいずれかが収容されているか知らない状態で、そのどちらかの液体Ａが注射器などにより投与される。
【００２２】
本実施の形態によれば、ラベル１２の貼付面が黄色に着色され、ラベル１２が、胴部２１の周囲の半分以上の長さＬと、胴部２１の高さの半分以上の幅Ｄを有しているため、図７に示すようにラベル１２のない隙間から治験用瓶１内の薬液或いはプラセボ液を見た場合に、その液体Ａの背景にラベル１２の貼付面１２ｂが見え、液体Ａの色が、ラベル１２の貼付面１２ｂの黄色に見える。また液体Ａの背景に直接ラベル１２の添付面１２ｂが見えなくても、添付面１２ｂからの反射光により、液体Ａの色が、ラベル１２の貼付面１２ｂに近い黄色に見える。この結果、薬液がわずかに黄色味がかったり白濁するようなことがあっても、治験用瓶１内の薬液とプラセボ液は同じ色に見え、薬液かプラセボ液かを視覚的に識別し難くなる。この結果、薬液の治験を適正かつ精度よく行うことができる。
【００２３】
また、本実施の形態の図６に示したように、ラベル１２が、胴部２１の内周面２１ａの一の接線Ｋと胴部２１の外周面２１ｂとが交わる２点Ｘ１、Ｘ２を胴部表面の長周囲側の周方向に結ぶ長さＬ１と同等の所定長さＬを有し、胴部２１の高さＨと同等の所定幅Ｄを有するようにした場合には、ラベル１２の所定長さＬが、図６に示したように長さＬ１と同等であるので、ラベル１２のない隙間を通じてどの方向から治験用瓶１内を見ても背景にラベル１２の貼付面が見えることになり、治験用瓶１内の中身が薬液かプラセボ液かを特に識別しにくくなる。
【００２４】
なお、本実施の形態では、ラベル１２の貼付面１２ｂに樹脂を用いたため、例えば冷蔵保存時等に治験用瓶１に結露が生じた場合であってもラベル１２が剥がれたり変色することなく、ラベル１２の貼付面１２ｂが瓶表面に密着しているので、薬液とプラセボ液とが識別しにくい状態を維持することができる。
【００２５】
また、本実施の形態では、ラベル１２の所定長さＬが図６に示す長さＬ１と同等であったが、長さＬ１以上であってもよい。この場合も、ラベル１２のない隙間を通じてどの方向から治験用瓶１内を見ても背景にラベル１２の貼付面１２ｂが見えることになり、治験用瓶１内の中身が薬液かプラセボ液かを特に識別しにくくなる。ただし、ラベル１２で胴部２１の全周を覆うと、治験用瓶１内の薬液を確認しにくくなる。
【００２６】
さらに、本実施の形態では、薬液がタンパク液であったが、注射剤などの治験が行われる他の薬液にも本発明は適用できる。また、ラベル１２の貼付面１２ｂの色は、黄色に限られず、薬液の色等に応じて、薬液とプラセボ液が識別し難くなる、赤色、青色などの他の有色であってもよい。ここで有色とは、白色以外の色をいう。このとき、ラベル１２の貼付面１２ｂの色は、薬液の色と同色にしてもよいし、識別し難くなる色であれば、薬液と同色でなくてもよく、同系色であってもよく、また同系色以外の色であってもよい。さらに、薬液の色の明度に応じてラベル１２の貼付面１２ｂの色の明度を変えることもできる。さらに、治験用瓶１の形状や寸法も上記実施の形態のものに限られない。例えば本実施の形態における治験用瓶１は、首部２０の下に位置し首部２０よりも径が大きい胴部２１を有していたが、胴部が首部と同等の径を有するものであってもよいし、首部がなく、胴部に直接蓋体が取付けられるようなものであってもよい。
【００２７】
図面を参照しながら本発明の好ましい実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００２８】
本発明に係るラベルを貼付した治験用瓶に関する内容物の識別不能性試験を行った。
【００２９】
（試験１）
＜ラベル＞
ＰＥＴシートに黄色のベタ印刷を施し、その上に印字用のユポ（登録商標）紙を重ねた二層構造のラベル（以下、「黄色ラベル」とする。）と、ポリプロピレンフィルムをカットして製造されたラベル（以下、「白色ラベル」とする。）とを用意した。ラベルの寸法は、直径２４ｍｍの治験用瓶に対し、縦（所定幅Ｄ）28.0mm×横（長さＬ）50.0mmとした。黄色ラベルのサンプル６枚（１〜６）をカラー反射濃度計（伊原電子工業株式会社製：カラー反射濃度計「Ｒ７１０」）で測定したところ、表１のような結果が得られた。
【００３０】
【表１】
2017037307.tif 000003
【００３１】
＜製剤＞
アクティブ製剤には、濃度が１０ｍｇ/ｍＬのタンパク液を用いた。本実施例で用いたタンパク液は、視覚的に黄色味がかっていた。分光色差計（ＳＥ ６０００ (日本電色工業株式会社製)）を用いて、水を標準溶液としてアクティブ製剤およびプラセボ製剤の色差ΔＥを測定した。なお、この測定は、反射測定径をφ３０mm、測定波長範囲を３８０nm
〜７８０nm、出力間隔を１０nmにして行った。アクティブ製剤およびプラセボ製剤の、水との色差ΔＥの測定結果はそれぞれ１．０１、０．２７であった。
【００３２】
＜治験用瓶＞
治験用瓶には、透明のガラス製であって、胴部の高さＨが３１ｍｍ、胴部の表面長さが２４ｍｍ（内径が２２ｍｍ）のものを用いた。治験用瓶の胴部の周囲の２／３の長さは５０．０ｍｍであった。治験用瓶の胴部の内周面の一の接線と胴部の外周面とが交わる２点Ｘ１、Ｘ２を瓶表面の長周囲側の周方向に結ぶ長さＬ１は６５．５ｍｍであった。
【００３３】
＜検体準備＞
１．アクティブ製剤１０本以上、プラセボ製剤１０本以上を用意した。
２．合計１０本になるように、ランダムにアクティブ製剤とプラセボ製剤を取り出し、ランダムに１-１０番の番号をキャップの蓋に記入する。その際、アクティブ又はプラセボ製剤は少なくとも３本以上含むこととした。
３．同様の手順で、合計１０本の製剤を取り出し、１１-２０番の番号をキャップの蓋に記入した。その際、アクティブ又はプラセボ製剤は少なくとも３本以上含むこととした。
４．１-１０番の治験用瓶（バイアル品）に黄色ラベルを貼付した。黄色ラベルは縦２８．０ｍｍ、横５０．０ｍｍでカットする。貼付高さは瓶底から約１ｍｍの高さとした（以下、これらを「黄色ラベル群」とする。）。
５．１１-２０番の治験用瓶に白色ラベルを貼付した。白色ラベルは縦２８．０ｍｍ、横５０．０ｍｍでカットした。貼付高さは瓶底から約１ｍｍの高さとした（以下、これらを「白色ラベル群」とする。）。
６．試験監督者は、各番号の製剤がアクティブ製剤かプラセボ製剤か控えておいたが、試験実施者には開示しないようにした。
【００３４】
＜試験準備＞
１．通常の蛍光灯下の居室（約８９０lux）にて黄色ラベル群、白色ラベル群を用意した。
２．９人の試験実施者を選択した。先入観で試験を実施することを防止するため、製剤の特性情報を与えず、製剤の識別不能性試験を実施した。
【００３５】
＜試験開始＞
１．試験実施者を一人ずつ居室に入れ試験を行った。
２．試験実施者には特に予備情報を与えず、テーブルの上に置かれた黄色ラベル群１０本を、２分間の時間で製剤の違いを識別し、２グループに分けるように指示した。
３．試験監督者は、ストップウォッチで２分間測定し、終了後、試験実施者はグループ分けの結果を記載した。識別できない場合は、「識別不可」の欄に記載した。
４．同様の手順にて「白色ラベル群」についても識別不能性試験を実施し、試験実施者は結果を記載した。
５．上記識別不能性試験を人数分実施した。
【００３６】
＜判定基準＞
識別不能性の判定基準を以下のように設定した。
なお、この試験は各群のサンプルを２グループに分ける作業であり、どちらかがアクティブ製剤かプラセボ製剤かを直接識別する試験ではない。
１．正答率１００％    ：  完全に識別可能である。
２．正答率８０‐９０％：  ほとんど識別可能である。
３．正答率５０‐７０％：  識別不可である。
４．識別不可    ：  識別不可である。
正答率５０％：ランダムに２グループに分けても５０％の確率で正答となり、「識別不可」とする
正答率７０％：ある程度識別できている可能性はあるが、残りの３０％は誤答であり、その結果アクティブ製剤とプラセボ製剤が混在することになる。よって「識別不可」とする。
【００３７】
＜結果・考察＞
黄色ラベル群と白色ラベル群の識別不能性試験の結果を図８に示す。その結果、黄色ラベル群はすべての試験実施者が、「識別不可」または「正答率５０‐７０％」であったため、識別不能性は確保されていると言える。一方、白色ラベル群は、「識別不可」は存在せず、また「正答率５０‐７０％」の試験実施者はいるものの、２／３の試験実施者が，「正答率８０‐９０％」または「正答率１００％」であり、識別可能であったと言える。  よって、識別不能性は完全に確保されていないと言える。
また、黄色ラベル群と白色ラベル群の識別不能性試験の試験実施者個人の結果を表２に示す。黄色ラベル群と比較して、全体的に白色ラベル群の試験では正答率が上がっており、ほぼ全ての試験実施者が白色ラベル群を識別しやすい傾向にあることがわかった。また黄色ラベル群では「識別不可」であった２名の試験実施者が、両名とも白色ラベル群では「正答率１００％」であった。
以上の結果より、本発明に包含される黄色ラベルは、通常治験薬に使用している白色ラベルと比較して、識別不能性を確保する点で効果があることが確認された。
【００３８】
【表２】
2017037307.tif 000004
【００３９】
（試験２）
試験２では、ラベルの横（長さＬ）の長さを変えて上記試験１と同様の試験を行った。
【００４０】
黄色ラベル及び白色ラベルの寸法は、直径２４ｍｍの治験用瓶に対し、縦（所定幅Ｄ）28.0mm×横（長さＬ）37.5mmとした。このラベルの横の長さは、治験用瓶の胴部の周囲の１／２（半分）の長さである。黄色ラベル及び白色ラベルに関しては、横（長さＬ）の長さ以外、上記試験１と同様である。
【００４１】
試験２では、試験１の＜試験準備＞において、約９３４luxの明るさの蛍光灯下の居室にて黄色ラベル群、白色ラベル群を用意した以外は、試験１と同様の条件で行った。すなわち、試験２は、上記試験１の＜製剤＞、＜治験用瓶＞、＜検体準備＞、＜試験開始＞、＜判定基準＞の条件に従って行った。
【００４２】
＜結果・考察＞
黄色ラベル群と白色ラベル群の識別不能性試験の結果を図９に示す。その結果、黄色ラベル群は、９人中８人の試験実施者が、「識別不可」または「正答率５０‐７０％」であったため、識別不能性は確保されていると言える。一方、白色ラベル群は、「識別不可」は存在せず、また「正答率５０‐７０％」の試験実施者はいるものの、２／３の試験実施者が，「正答率８０‐９０％」または「正答率１００％」であり、識別可能であったと言える。
よって、識別不能性は完全に確保されていないと言える。
また、黄色ラベル群と白色ラベル群の識別不能性試験の試験実施者個人の結果を表３に示す。黄色ラベル群と比較して、全体的に白色ラベル群の試験では正答率が上がっており、９人中８人の試験実施者が白色ラベル群を識別しやすい傾向にあることがわかった。また黄色ラベル群では「識別不可」であった２名の試験実施者が、両名とも白色ラベル群では「正答率１００％」であった。
以上の結果より、本発明に包含される黄色ラベルは、通常治験薬に使用している白色ラベルと比較して、識別不能性を確保する点で効果があることが確認された。
【００４３】
【表３】
2017037307.tif 000005
【産業上の利用可能性】
【００４４】
本発明は、治験用瓶の中身が薬液かプラセボ液かを視覚的に識別し難くして、十分な精度の治験を行う際に有用である。
【符号の説明】
【００４５】
１  治験用瓶
１０  瓶本体
１２  ラベル
１２ｂ  貼付面
２１  胴部
Ａ  液体
Ｌ  所定長さ
Ｄ  所定幅
【図１】
2017037307.tif 000006
【図２】
2017037307.tif 000007
【図３】
2017037307.tif 000008
【図４】
2017037307.tif 000009
【図５】
2017037307.tif 000010
【図６】
2017037307.tif 000011
【図７】
2017037307.tif 000012
【図８】
2017037307.tif 000013
【図９】
2017037307.tif 000014